(57)【要約】【課題】ユーザにとって使い勝手の良いデータ登録／閲覧用のシステムを提供する。【解決手段】本実施形態の情報処理システムは、情報処理装置と、前記情報処理装置とネットワークを介して接続可能なサーバ装置とを備える。情報処理装置は、受付手段と、保持手段と、送信手段と、を有する。受付手段は、前記サーバ装置と接続可状態および接続不可状態のいずれにおいても、データの作成および作成したデータの登録指示を受付ける。保持手段は、前記受付手段で受付けたデータを保持する。送信手段は、前記接続可状態において前記保持手段で保持されている未登録のデータを前記サーバ装置に送信する。サーバ装置は、サーバ受信手段と、登録手段と、を有する。サーバ受信手段は、前記送信手段で送信されたデータを受信する。登録手段は、前記サーバ受信手段で受信したデータを登録する。【選択図】図６
2012048299.tif 000002
【特許請求の範囲】
【請求項１】
情報処理装置と、前記情報処理装置とネットワークを介して接続可能なサーバ装置とを備える情報処理システムであって、
前記情報処理装置は、
前記サーバ装置と接続可状態および接続不可状態のいずれにおいても、データの作成および作成したデータの登録指示を受付ける受付手段と、
前記受付手段で受付けたデータを保持する保持手段と、
前記接続可状態において前記保持手段で保持されている未登録のデータを前記サーバ装置に送信する送信手段と、
を有し、
前記サーバ装置は、
前記送信手段で送信されたデータを受信するサーバ受信手段と、
前記サーバ受信手段で受信したデータを登録する登録手段と、
を有する、情報処理システム。
【請求項２】
前記情報処理装置は、
前記接続可状態において前記サーバ装置から登録済みのデータを受信する受信手段と、
前記受信手段で受信した登録済みのデータを閲覧可能に表示する表示手段と、
を更に有し、
前記サーバ装置は、
前記情報処理装置からの取得要求に応じて、前記登録手段で登録されている登録済みのデータを前記情報処理装置に送信するサーバ送信手段と、
を更に有する、請求項１に記載の情報処理システム。
【請求項３】
前記情報処理装置は、
所定時間が経過する毎に、前記サーバ装置に接続できるか否かを判定する判定手段、
を更に有し、
前記判定手段で接続できると判定された場合に、前記送信手段が前記送信する処理を実行し、前記受信手段が前記受信する処理を実行する、請求項２に記載の情報処理システム。
【請求項４】
前記情報処理装置は、
前記受付手段で作成したデータを収納管理する専用の収納管理部を作成する作成手段、
を更に有し、
前記保持手段は、前記受付手段で受付けたデータを前記専用の収納管理部で収納管理し、前記送信手段は、前記専用の収納管理部で収納管理されているデータのうち、未登録のデータを前記サーバ装置に送信する、請求項１〜３のいずれか一項に記載の情報処理システム。
【請求項５】
ネットワークを介して接続されるサーバ装置と接続可状態および接続不可状態のいずれにおいても、データの作成および作成したデータの登録指示を受付ける受付手段と、
前記受付手段で受付けたデータを保持する保持手段と、
前記接続可状態において前記保持手段で保持されている未登録のデータを前記サーバ装置に送信する送信手段と、
前記接続可状態において前記サーバ装置から登録済みのデータを受信する受信手段と、
を有する、情報処理装置。
【請求項６】
情報処理装置に実装されるコンピュータを、
ネットワークを介して接続されるサーバ装置と接続可状態および接続不可状態のいずれにおいても、データの作成および作成したデータの登録指示を受付ける受付手段と、
前記受付手段で受付けたデータを保持する保持手段と、
前記接続可状態において前記保持手段で保持されている未登録のデータを前記サーバ装置に送信する送信手段と、
前記接続可状態において前記サーバ装置から登録済みのデータを受信する受信手段と、
して機能させるプログラム。
【発明の詳細な説明】
【技術分野】
【０００１】
本発明の実施形態は、情報処理システム、情報処理装置およびプログラムに関する。
【背景技術】
【０００２】
従来、クライアント端末で作成した文字情報などのデータをサーバ装置に登録したり、サーバ装置に登録されているデータをクライアント端末で閲覧したりすることのできるデータ登録／閲覧システムが知られている。
【発明の概要】
【発明が解決しようとする課題】
【０００３】
しかしながら、従来のデータ登録／閲覧システムにあっては、データの登録および閲覧に際して、クライアント端末とサーバ装置との接続状態（オンラインまたはオフライン）を気にする必要があり、ユーザにとって使い勝手が悪いなどの課題がある。
【課題を解決するための手段】
【０００４】
本実施形態の情報処理システムは、情報処理装置と、前記情報処理装置とネットワークを介して接続可能なサーバ装置とを備える。情報処理装置は、受付手段と、保持手段と、送信手段と、を有する。受付手段は、前記サーバ装置と接続可状態および接続不可状態のいずれにおいても、データの作成および作成したデータの登録指示を受付ける。保持手段は、前記受付手段で受付けたデータを保持する。送信手段は、前記接続可状態において前記保持手段で保持されている未登録のデータを前記サーバ装置に送信する。サーバ装置は、サーバ受信手段と、登録手段と、を有する。サーバ受信手段は、前記送信手段で送信されたデータを受信する。登録手段は、前記サーバ受信手段で受信したデータを登録する。
【図面の簡単な説明】
【０００５】
【図１】図１は、本実施形態に係るアイデア登録／閲覧システムの概略構成を示す概要図である。
【図２】図２は、クライアント端末のハードウェア構成を示すブロック図である。
【図３】図３は、サーバ装置のハードウェア構成を示すブロック図である。
【図４】図４は、アイデア登録画面の一構成例を示す図である。
【図５】図５は、アイデア一覧画面の一構成例を示す図である。
【図６】図６は、クライアント端末の機能的構成を示すブロック図である。
【図７】図７は、サーバ装置の機能的構成を示すブロック図である。
【図８】図８は、クライアント端末が起動した場合の処理手順を示すフローチャートである。
【図９】図９は、アイデア登録画面を用いてアイデアを入力する場合の処理手順を示すフローチャートである。
【図１０】図１０は、登録対象となる未登録のアイデアデータをサーバ装置にアップロードする場合の処理手順を示すフローチャートである。
【図１１】図１１は、サーバ装置に登録されている登録済みのアイデアデータをクライアント端末にダウンロードする場合の処理手順を示すフローチャートである。
【図１２】図１２は、アイデア一覧画面を用いてアイデアを閲覧する場合の処理手順を示すフローチャートである。
【図１３】図１３は、サーバ装置の処理手順を示すフローチャートである。
【発明を実施するための形態】
【０００６】
以下、実施形態について添付図面を参照して説明する。
【０００７】
なお、以下では、本実施形態の情報処理システムとして、会社や企業などに設置され、商品開発部や営業部などのグループ単位別に、アイデア（「ひらめき」、「思い付き」、「発言」、「意見」などの文字情報）を含むデータを登録／閲覧することのできるアイデア登録／閲覧システムの場合について説明する。
【０００８】
（システム構成）
まず、本実施形態に係るアイデア登録／閲覧システム１の構成について説明する。
【０００９】
図１は、本実施形態に係るアイデア登録／閲覧システム１の概略構成を説明するための概要図である。
【００１０】
図１に示すように、このアイデア登録／閲覧システム１は、会社や企業などに設置され、複数のクライアント端末２（２Ａ〜２Ｃ）（以下、特定しないクライアント端末を単にクライアント端末２と称する。）と、サーバ装置３とを備えており、それらが無線ＬＡＮ（Ｌｏｃａｌ  Ａｒｅａ  Ｎｅｔｗｏｒｋ）や有線ＬＡＮなどのネットワーク４を介して相互に通信可能に接続されている。なお、図１のネットワーク４には、ルータなどの各種通信接続機器（不図示）が含まれている。
【００１１】
クライアント端末２は、アイデア登録／閲覧システム１が設置される会社や企業などに勤務する会社員が使用する携帯型のコンピュータであり、サーバ装置３の提供するアイデア登録／閲覧サービスを受けることができるように予め設定されたコンピュータである。
【００１２】
より具体的には、本実施形態のクライアント端末２は、サーバ装置３との接続状態（接続可状態（オンライン）、接続不可状態（オフライン））に関係無く、即ち、サーバ装置３と接続可状態および接続不可状態のいずれにおいても、ユーザの入力操作に応じてアイデアを含むデータ（以下、単に「アイデアデータ」という場合がある。）の作成および作成したアイデアデータの登録指示を受付け、該受付けたアイデアデータをＨＤＤ２３（図２参照）などの記憶手段で保持させるとともに、接続可状態において記憶手段で保持されている未登録のアイデアデータをサーバ装置３に送信（アップロード）するものである。
【００１３】
また、本実施形態のクライアント端末２は、接続可状態においてサーバ装置３から登録済みのアイデアデータを受信（ダウンロード）し、サーバ装置３との接続状態に関係無く、即ち、サーバ装置３と接続可状態および接続不可状態のいずれにおいても、受信したアイデアデータを閲覧可能に表示するものである。
【００１４】
サーバ装置３は、クライアント端末２に対して、各クライアント端末２Ａ〜２Ｃからのアイデアデータを受け取って登録するとともに、登録済みのアイデアデータを各クライアント端末２Ａ〜２Ｃに配信するアイデア登録／閲覧サービスを提供するコンピュータである。
【００１５】
なお、図１の例では、複数のクライアント端末２として、３台のクライアント端末２Ａ〜２Ｃを備える形態を示しているが、これに限定されず、２台または４台以上のクライアント端末２を備える形態とすることも可能である。
【００１６】
図２および図３は、クライアント端末２およびサーバ装置３のハードウェア構成を説明するためのブロック図である。
【００１７】
図２および図３に示すように、クライアント端末２およびサーバ装置３は、それぞれ一般的なコンピュータを利用したハードウェア構成となっており、例えば、ＣＰＵ（Ｃｅｎｔｒａｌ  Ｐｒｏｃｅｓｓｉｎｇ  Ｕｎｉｔ）２０、３０と、このＣＰＵ２０、３０とそれぞれバスラインＢＬ１、ＢＬ２を介して接続されるＲＯＭ（Ｒｅａｄ  Ｏｎｌｙ  Ｍｅｍｏｒｙ）２１、３１と、ＲＡＭ（Ｒａｎｄｏｍ  Ａｃｃｅｓｓ  Ｍｅｍｏｒｙ）２２、３２と、ＨＤＤ（Ｈａｒｄ  Ｄｉｓｋ  Ｄｒｉｖｅ：ハードディスク装置）２３、３３と、記憶媒体処理部２４、３４と、通信インタフェース部２５、３５などと、それらに電力を供給する電力供給部２９、３９などを備えている。
【００１８】
ここで、ＣＰＵ２０、３０は、コンピュータ全体の制御、即ち、各種演算や各構成要素部に対する各種処理を制御する。ＲＯＭ２１、３１またはＨＤＤ２３、３３は、コンピュータにおける各種処理を実行するための処理プログラムなどの各種ファイルを記憶する。ＲＡＭ２２、３２は、入力データや表示データなどの作業中のデータを一時的に記憶したり、コンピュータの起動時にＲＯＭ２１、３１またはＨＤＤ２３、３３から読み出された処理プログラムなどの各種ファイルを一時的に記憶する。
【００１９】
なお、本実施形態のクライアント端末２のＨＤＤ２３には、後述の図６に示す機能構成部を実現するための処理プログラムＰ１や、ユーザの入力操作により作成されてサーバ装置３にアップロードする登録対象となる未登録のアイデアデータや、サーバ装置３からダウンロードした登録済みのアイデアデータなどを管理する専用フォルダＦなどが記憶されている。
【００２０】
一方、本実施形態のサーバ装置３のＨＤＤ３３には、後述の図７に示す機能的構成部を実現するための処理プログラムＰ２や、各クライアント端末２Ａ〜２Ｃから送られてきたアイデアデータを登録するためのアイデアデータ登録テーブルＴなどが記憶されている。
【００２１】
記憶媒体処理部２４、３４は、ＣＤ−ＲＷ（Ｃｏｍｐａｃｔ  Ｄｉｓｃ−Ｒｅｗｒｉｔａｂｌｅ）やＤＶＤ−ＲＷ（Ｄｉｇｉｔａｌ  Ｖｅｒｓａｔｉｌｅ  Ｄｉｓｃ−Ｒｅｗｒｉｔａｂｌｅ）などの外部記憶媒体に対する読み書き処理を行う。
【００２２】
通信インタフェース部２５、３５は、通信インタフェース回路（不図示）を有し、ネットワーク４を介して接続される他の機器との間で登録閲覧用のアイデアデータなどの各種データの送受信を行う。
【００２３】
入力部２６、３６は、各種機能キーを含むキーボードやマウスなどを有し、それらキーボードおよびマウスからの操作信号を入力処理する。
【００２４】
表示部２７、３７は、ディスプレイなどを有し、そのディスプレイに各種情報（図４および図５参照）を表示処理する。
【００２５】
図４は、アイデア登録画面の一構成例を説明するための図であり、図４（ａ）が、デスクトップ画面１００Ａの一構成例を示し、図４（ｂ）が、アイデア登録画面１００Ｂの一構成例を示している。
【００２６】
図４（ａ）に示すように、このデスクトップ画面１００Ａは、クライアント端末２の電源がオン（投入）されＯＳ（Ｏｐｅｒａｔｉｎｇ  Ｓｙｓｔｅｍ）が起動した場合に、表示部２７のディスプレイに表示される画面であり、各種アプリケーションの起動などを操作するための基本操作画面である。
【００２７】
本実施形態のデスクトップ画面１００Ａは、タスクバーの右側領域などのタスクトレイに、後述の図８〜図１２の処理手順を実行する常駐プログラムとしての処理プログラムＰ１が動作中であることを示す専用アイコン１０１を表示する。なお、図４の例では、専用アイコン１０１の表示態様として、ひらめきをイメージさせる図形を採用した場合を示している。
【００２８】
図４（ｂ）に示すように、このアイデア登録画面１００Ｂは、図４（ａ）に示すデスクトップ画面１００Ａの専用アイコン１０１が選択操作された場合に表示部２７で表示される画面であり、サーバ装置３に登録するアイデアデータを入力するための画面である。
【００２９】
具体的には、このアイデア登録画面１００Ｂは、件名入力欄１０２、本文入力欄１０３、登録ボタン１０４、閲覧ボタン１０５、閉じるボタン１０６などを有している。
【００３０】
ここで、件名入力欄１０２は、登録するアイデアデータの件名を入力するための入力欄である。本文入力欄１０３は、登録するアイデアデータの本文（内容）を入力するための入力欄である。
【００３１】
また、登録ボタン１０４は、件名入力欄１０２および本文入力欄１０３で入力した文字情報を含むアイデアデータをサーバ装置３に登録する場合に選択する選択アイコンとしてのボタンである。閲覧ボタン１０５は、後述のアイデア一覧画面１００Ｃ（図５参照）などを表示させる場合に選択する選択アイコンとしてのボタンである。閉じるボタン１０６は、このアイデア登録画面１００Ｂを閉じる場合に選択する選択アイコンとしてのボタンである。
【００３２】
図５は、アイデア一覧画面の一構成例を説明するための図であり、図５（ａ）が、アイデア一覧画面１００Ｃの一構成例を示し、図５（ｂ）が、アイデア内容画面１００Ｄの一構成例を示している。
【００３３】
図５（ａ）に示すように、このアイデア一覧画面１００Ｃは、図４（ｂ）のアイデア登録画面１００Ｂの閲覧ボタン１０５が選択された場合に表示部２７に表示される画面であり、サーバ装置３に登録されているアイデアデータや自装置（クライアント端末２）に保持されているアイデアデータを閲覧するための画面である。
【００３４】
具体的には、このアイデア一覧画面１００Ｃは、件名表示欄１０７、登録状態表示欄１０８、閉じるボタン１０９などを有している。
【００３５】
ここで、件名表示欄１０７は、閲覧対象となる各アイデアデータの件名（例えば、「ＰＯＳについて」、「ラベルプリンタについて」、「電子棚札について」など）を表示する表示欄である。登録状態表示欄１０８は、件名表示欄１０７に表示されている各件名に対応するアイデアデータのサーバ装置３に対する登録状態（例えば、「○」、「×」、「−」など）を表示する表示欄である。閉じるボタン１０９は、このアイデア一覧画面１００Ｃを閉じる場合に選択する選択アイコンとしてのボタンである。
【００３６】
ここで、登録状態の「○」は、アイデアデータがサーバ装置３に正常に登録されたこと（登録成功）を示す記号である。登録状態の「×」は、アイデアデータがサーバ装置３に正常に登録されなかったこと（登録失敗）を示す記号である。登録状態の「−」は、アイデアデータが未だサーバ装置３にアップロード処理されていないことを示す記号である。
【００３７】
図５（ｂ）に示すように、このアイデア内容画面１００Ｄは、図５（ａ）に示すアイデア一覧画面１００Ｃの件名表示欄１０７に表示されている件名（例えば、「ＰＯＳについて」）が選択操作された場合に表示部２７で表示される画面であり、本実施形態では、選択された件名（例えば、「ＰＯＳについて」）を表示する件名表示欄１１０と、その件名に対応する本文（例えば、「キーボードの配置を・・・」）を表示する本文表示欄１１１と、このアイデア内容画面１００Ｄを閉じてアイデア一覧画面１００Ｃに戻る場合に選択する選択アイコンとしての戻るボタン１１２とを有している。
【００３８】
また、図２および図３に戻って、スピーカ部２８、３８は、スピーカなどを有し、そのスピーカから各種音声を出力処理する。
【００３９】
電力供給部２９、３９は、コンセントなどの商用電源にプラグなどの差込み器具が接続されることで、商用電源からの電圧を各負荷部に必要な電力に変換して供給する。
【００４０】
図６は、クライアント端末２の機能的構成（ソフトウェア構成）を説明するためのブロック図である。
【００４１】
図６に示すように、クライアント端末２は、機能的構成として、専用フォルダ作成部２１０、アイデア受付部２２０、アイデア登録依頼部２３０、アイデア取得部２４０、アイデア閲覧部２５０などを含み、後述の図８〜図１２に示す処理手順を実行するアイデア登録／閲覧処理部２００を有している。
【００４２】
なお、このアイデア登録／閲覧処理部２００は、ユーザによりクライアント端末２の電源がオンされＯＳが起動した場合に、自動的に起動して、デスクトップ画面１００Ａのタスクトレイに専用アイコン１０１を表示する。
【００４３】
また、このアイデア登録／閲覧処理部２００は、ユーザにより専用アイコン１０１の右クリック操作により表示部２７のディスプレイに表示されるメニュー画面などで「終了」項目が選択された場合に、専用アイコン１０１の表示を終了して、常駐動作を終了する。
【００４４】
更に、このアイデア登録／閲覧処理部２００は、ユーザによりデスクトップ画面１００Ａの左下の「スタート」ボタンの選択またはデスクトップ画面１００Ａのマイコンピュータのアイコンの選択などを経由して、処理プログラムＰ１の起動が指示された場合に起動し、専用アイコン１０１を表示して常駐動作を開始する。
【００４５】
ここで、専用フォルダ作成部２１０は、ユーザの入力操作により作成されてサーバ装置３にアップロードする登録対象のアイデアデータ（未登録のアイデアデータおよび登録済みのアイデアデータを含む）およびその通信ログ（エラー情報、正常情報など）と、サーバ装置３からダウンロードした登録済みのアイデアデータおよびその通信ログ（取得成功フラグまたは取得失敗フラグ）を収納管理するディレクトリとしての専用フォルダＦ（図２参照）（例えば、フォルダ名「ＴＯＵＲＯＫＵ」など）を作成する。
【００４６】
アイデア受付部２２０は、登録対象のアイデアデータの入力および保持処理を実行する。
【００４７】
より具体的には、アイデア受付部２２０は、アイデア登録画面１００Ｂを表示部２７に表示させ、ユーザの入力操作により、アイデア登録画面１００Ｂの件名入力欄１０２および本文入力欄１０３にそれぞれ入力された文字情報を含む登録対象のアイデアデータを、所定形式（例えば、ファイル名「（作成日）．ｘｍｌ」などのＸＭＬ形式）のファイルとして専用フォルダＦに出力する。
【００４８】
なお、アイデア受付部２２０は、登録対象のアイデアデータのファイルに「未登録フラグ」を設定してから、専用フォルダＦに出力する。
【００４９】
アイデア登録依頼部２３０は、登録用スレッドおよびデータ登録用のウェブサービスなどで実現され、送信タイマにより所定時間が経過する毎に、サーバ装置３にアップロード要求を行って、専用フォルダＦで収納管理されているアイデアデータ（即ち、「未登録フラグ」または「失敗フラグ」が設定されているアイデアデータ）をコピーしたデータ、即ち、未登録のアイデアデータを、サーバ装置３に対して１件ずつ（即ち、ファイル単位で）アップロードする。
【００５０】
また、アイデア登録依頼部２３０は、未登録のアイデアデータをアップロードした際、ウェブサービスの戻り値から取得する登録成功または登録失敗を示す情報に基づいて、コピーの登録に成功したアイデアデータ（即ち、専用フォルダＦで保持管理されているアイデアデータ）のフラグに「成功フラグ」を更新設定し、一方、コピーの登録に失敗したアイデアデータのフラグに「失敗フラグ」を更新設定するとともに、通信ログにステータスを出力する。
【００５１】
なお、ここでいう「未登録フラグ」、「成功フラグ」および「失敗フラグ」は、登録対象のアイデアデータの登録状態を識別するための識別情報である。
【００５２】
具体的には、「未登録フラグ」は、設定対象のアイデアデータがサーバ装置３に登録を依頼していないデータであること、言い換えると、設定対象のアイデアデータがサーバ装置３に未だアップロードしていないデータであることを識別するための情報である。「成功フラグ」は、設定対象のアイデアデータがサーバ装置３に正常に登録されたことを識別するための情報である。「失敗フラグ」は、設定対象のアイデアデータがサーバ装置３に正常に登録されなかったことを識別するための情報である。
【００５３】
また、「通信ログ」は、テキストベースとなっているので、ユーザは、任意のタイミングで「通信ログ」を確認することにより、自己の作成したアイデアデータがサーバ装置３に正常に登録されたか否かを把握することができる。
【００５４】
アイデア取得部２４０は、取得用スレッドおよびデータ取得用のウェブサービスなどで実現され、受信タイマにより所定時間が経過する毎に、サーバ装置３にダウンロード要求を行って、サーバ装置３から登録済みのアイデアデータを１件ずつ（即ち、ファイル単位で）ダウンロードして専用フォルダＦに所定形式のファイル（例えば、ＸＭＬ形式）として出力する。
【００５５】
なお、アイデア取得部２４０は、登録済みのアイデアデータを１件ずつダウンロードした際、取得に失敗したアイデアデータがあった場合、通信ログにステータスを出力する。
【００５６】
また、アイデア取得部２４０は、クライアント端末２またはサーバ装置３で予め設定されている件数分（例えば、最新のものから１０件分など）のアイデアデータをサーバ装置３からダウンロードする。
【００５７】
アイデア閲覧部２５０は、アイデアデータの一覧表示などの閲覧処理を実行する。
【００５８】
より具体的には、アイデア閲覧部２５０は、アイデア一覧画面１００Ｃなどを表示部２７に表示して、ユーザに対して、サーバ装置３に登録されている登録済みのアイデアデータおよび専用フォルダＦで収納管理されている未登録のアイデアデータを閲覧可能に表示する。
【００５９】
なお、前記した送信タイマまたは受信タイマにより計時される所定時間には、予め固定的に設定された時間や、専用アイコン１０１の右クリックなどで表示されるメニューの中の設定項目などでユーザにより任意に設定された時間などを設定することができ、例えば、「３０分」や「１時間」などの時間を設定することができる。
【００６０】
また、専用フォルダＦに保持されているデータは、ユーザが所望するタイミングで削除することが可能である。
【００６１】
図７は、サーバ装置３における機能的構成（ソフトウェア構成）を説明するためのブロック図である。
【００６２】
図７に示すように、サーバ装置３は、機能的構成として、アイデア登録部３１０、アイデア配信部３２０などを含み、後述の図１３に示す処理手順を実行するアイデア登録／配信処理部３００を有している。
【００６３】
ここで、アイデア登録部３１０は、クライアント端末２からのアップロード要求を受けて、クライアント端末２から登録対象となる未登録のアイデアデータを受信してアイデアデータ登録テーブルＴ（図３参照）に登録する。
【００６４】
なお、本実施形態では、サーバ装置３は、アイデアデータ登録テーブルＴを、商品開発部や営業部などのグループ単位別に有しており、アイデア登録部３１０は、アップロード要求時にクライアント端末２から受信した識別情報（ＩＰアドレス情報など）に基づいて、各クライアント端末２から受信した未登録のアイデアデータをそれぞれ該当するアイデアデータ登録テーブルＴに振り分けて登録する。
【００６５】
アイデア配信部３２０は、クライアント端末２からのダウンロード（取得）要求を受けて、アイデアデータ登録テーブルＴに登録されているアイデアデータをコピーしたデータ、即ち、登録済みのアイデアデータを、クライアント端末２に送信する。
【００６６】
また、アイデア配信部３２０は、ダウンロード要求時にクライアント端末２から受信した端末識別情報に基づいて、当該クライアント端末２の属するグループに対応したアイデアデータを登録するアイデアデータ登録テーブルＴを検索し、そのアイデアデータ登録テーブルＴに登録されている登録済みのアイデアデータを該当するクライアント端末２に送信する。
【００６７】
なお、前記した図６および図７における各機能構成部は、各ＣＰＵ２０、３０が各ＨＤＤ２３、３３などの記憶手段に記憶されている処理プログラムＰ１、Ｐ２を、各ＲＡＭ２２、３２上に展開して実行することにより実現されるものである。
【００６８】
（処理動作）
次に、前記した構成のアイデア登録／閲覧システム１における各種処理動作について説明する。
【００６９】
まず、クライアント端末２のアイデア登録／閲覧処理部２００が実行する処理手順について説明する。
【００７０】
図８は、クライアント端末２が起動した場合の処理手順を説明するためのフローチャートである。
【００７１】
図８に示すように、この処理では、まず、ステップＳ１０１において、ユーザによりクライアント端末２の電源がオンされてクライアント端末２が起動すると、アイデア登録／閲覧処理部２００が起動し、続いて、ステップＳ１０２において、アイデア登録／閲覧処理部２００の専用フォルダ作成部２１０が、専用フォルダＦが存在するか否かを確認する。
【００７２】
この確認の結果、存在すると判定された場合には（ステップＳ１０２：Ｙｅｓ）、続いて、ステップＳ１０３において、アイデア登録／閲覧処理部２００が、専用アイコン１０１をデスクトップ画面１００Ａに表示し、ここでの処理を終了する。
【００７３】
一方、前記確認の結果、存在しないと判定された場合には（ステップＳ１０２：Ｎｏ）、続いて、ステップＳ１０４において、専用フォルダ作成部２１０が、専用フォルダＦを作成し、その後、アイデア登録／閲覧処理部２００では、処理を前記したステップＳ１０４に移行させて同様の処理を行う。
【００７４】
図９は、アイデア登録画面１００Ｂを用いてアイデアを入力する場合の処理手順を説明するためのフローチャートである。
【００７５】
図９に示すように、この処理では、まず、ステップＳ２０１において、アイデア受付部２２０が、専用アイコン１０１のワンクリックなどの選択操作を検知すると、続いて、ステップＳ２０２において、アイデア受付部２２０が、アイデア登録画面１００Ｂ（図４（ｂ）参照）を表示部２７に表示して、ユーザの各種操作の待受け処理を行う。
【００７６】
ここで、件名入力欄１０２への文字情報の入力（例えば、「ＰＯＳについて」など）および本文入力欄１０３への文字情報の入力（例えば、「キーボードの配置を・・・」など）を受付けると、ステップＳ２０３において、アイデア受付部２２０は、入力欄の表示データの作成を行って、ステップＳ２０２において、アイデア登録画面１００Ｂの表示を更新する。
【００７７】
一方、登録ボタン１０４の選択操作を受付けると、ステップＳ２０４において、アイデア受付部２２０は、件名入力欄１０２および本文入力欄１０３で入力された文字情報を含むアイデアデータを「日付．ｘｍｌ」の形式で専用フォルダＦに出力し、出力完了後、ここでの処理を終了する。
【００７８】
また、一方、閉じるボタン１０６の選択操作を受付けると、ステップＳ２０５において、アイデア受付部２２０は、アイデア登録画面１００Ｂの表示を終了し、ここでの処理を終了する。
【００７９】
また、一方、閲覧ボタン１０５の選択操作を受付けると、ステップＳ２０６において、アイデア受付部２２０は、アイデア閲覧部２５０に対してアイデア一覧画面１００Ｃの表示指示を出力し、ここでの処理を終了する。
【００８０】
図１０は、登録対象となる未登録のアイデアデータをサーバ装置３にアップロードする場合の処理手順を説明するためのフローチャートである。
【００８１】
図１０に示すように、この処理では、送信タイマによる所定時間の計時が経過する毎に（ステップＳ３０１）、ステップＳ３０２において、アイデア登録／閲覧処理部２００が、アイデアデータの登録用スレッドがその時点で起動しているか否か、即ち、アイデア登録依頼部２３０が登録処理を実行しているか否かの判定を行う（ステップＳ３０２）。
【００８２】
この判定の結果、登録処理中であると判定された場合（ステップＳ３０２：Ｙｅｓ）、アイデア登録／閲覧処理部２００は、ここでの処理を終了する。
【００８３】
一方、判定の結果、登録処理中でないと判定された場合（ステップＳ３０２：Ｎｏ）、続いて、ステップＳ３０３において、アイデア登録依頼部２３０は、登録処理を開始し、続いて、ステップＳ３０４において、アイデア登録依頼部２３０は、登録対象のアイデアデータが専用フォルダＦに格納されているか否かを判定する。
【００８４】
この判定の結果、登録対象のアイデアデータが無いと判定された場合には（ステップＳ３０４：Ｎｏ）、続いて、ステップＳ３０５において、アイデア登録依頼部２３０は、登録用スレッドを終了して、ここでの処理を終了する。
【００８５】
一方、判定の結果、登録対象のアイデアデータが有ると判定された場合には（ステップＳ３０４：Ｙｅｓ）、続いて、ステップＳ３０６において、サーバ装置３に接続できるか否かを判定する。
【００８６】
この判定の結果、サーバ装置３に接続できないと判定されると（ステップＳ３０６：Ｎｏ）、続いて、アイデア登録依頼部２３０は、前記したステップＳ３０５に移行して以下同様の処理を行う。一方、判定の結果、サーバ装置３に接続できると判定された場合には（ステップＳ３０６：Ｙｅｓ）、続いて、ステップＳ３０７において、アイデア登録依頼部２３０は、データ登録用のウェブサービスを利用して、専用フォルダＦで保持管理されている未登録のアイデアデータを１件ずつ（即ち、ファイル単位で）サーバ装置３にアップロードする。
【００８７】
続いて、ステップＳ３０８において、サーバ装置３からのレスポンス情報に基づいて、登録の正常終了または失敗の判定を行う。
【００８８】
この判定の結果、登録に失敗したと判定された場合には（ステップＳ３０８：Ｎｏ）、続いて、ステップＳ３０９において、アイデア登録依頼部２３０は、登録エラー処理を実行する。即ち、この処理では、アイデア登録依頼部２３０は、ログにエラー情報の出力を行うとともに、登録に失敗した登録対象のアイデアデータに失敗フラグを設定する。
【００８９】
他方、判定の結果、登録に成功したと判定された場合には（ステップＳ３０８：Ｙｅｓ）、続いて、ステップＳ３１０において、登録ＯＫ処理を実行する。即ち、この処理では、アイデア登録依頼部２３０は、ログに正常情報の出力を行うとともに、登録に成功した登録対象のアイデアデータに成功フラグを設定する。
【００９０】
なお、ステップＳ３０９およびステップＳ３１０の処理が終了した後、続いて、ステップＳ３１１において、全件（即ち、全てのファイル）の登録（アップロード）処理が終了したか否かを判定する。この判定の結果、全件の登録処理が終了していないと判定された場合には（ステップＳ３１１：Ｎｏ）、アイデア登録依頼部２３０は、処理をステップＳ３０７に戻して以下同様の処理を行い、他方、全件の登録処理が終了した場合には（ステップＳ３１１：Ｙｅｓ）、アイデア登録依頼部２３０は、処理をステップＳ３０５に移行して、以下同様の処理を行う。
【００９１】
図１１は、サーバ装置３に登録されている登録済みのアイデアデータをクライアント端末２にダウンロードする場合の処理手順を説明するためのフローチャートである。
【００９２】
図１１に示すように、この処理では、受信タイマによる所定時間の計時が経過する毎に（ステップＳ４０１）、ステップＳ４０２において、アイデア登録／閲覧処理部２００が、アイデアデータの取得用スレッドがその時点で起動しているか否か、即ち、アイデア取得部２４０が取得処理を実行しているか否かの判定を行う（ステップＳ４０２）。
【００９３】
この判定の結果、取得処理中であると判定された場合（ステップＳ４０２：Ｙｅｓ）、アイデア登録／閲覧処理部２００は、ここでの処理を終了する。
【００９４】
一方、判定の結果、取得処理中でないと判定された場合（ステップＳ４０２：Ｎｏ）、続いて、ステップＳ４０３において、アイデア取得部２４０は、取得処理を開始し、続いて、ステップＳ４０４において、アイデア取得部２４０は、サーバ装置３に接続できるか否かを判定する。
【００９５】
この判定の結果、サーバ装置３に接続できないと判定されると（ステップＳ４０４：Ｎｏ）、続いて、アイデア取得部２４０は、ステップＳ４０５に移行して以下同様の処理を行う。一方、判定の結果、サーバ装置３に接続できると判定された場合には（ステップＳ４０４：Ｙｅｓ）、続いて、ステップＳ４０６において、アイデア取得部２４０は、データ取得用のウェブサービスを利用して、サーバ装置３から登録済みのアイデアデータをダウンロードする。
【００９６】
続いて、ステップＳ４０７において、サーバ装置３からアイデアデータを正常に取得できたか否かを判定する。
【００９７】
この判定の結果、正常に取得できなかったと判定された場合には（ステップＳ４０７：Ｎｏ）、続いて、ステップＳ４０８において、アイデア取得部２４０は、取得エラー処理を実行する。即ち、この処理では、アイデア取得部２４０は、ログにエラー情報の出力を行う。
【００９８】
他方、判定の結果、正常に取得できたと判定された場合には（ステップＳ４０７：Ｙｅｓ）、続いて、ステップＳ４０９において、取得ＯＫ処理を実行する。即ち、この処理では、アイデア取得部２４０は、閲覧情報のデータを更新する。
【００９９】
なお、ステップＳ４０８およびステップＳ４０９の処理が終了した後、続いて、ステップＳ４１０において、全件（即ち、予め設定されている件数分の全てのファイル）の取得（ダウンロード）処理が終了したか否かを判定する。この判定の結果、全件の取得処理が終了していないと判定された場合には（ステップＳ４１０：Ｎｏ）、アイデア取得部２４０は、処理をステップＳ４０６に戻して以下同様の処理を行い、他方、全件の取得処理が終了した場合には（ステップＳ４１０：Ｙｅｓ）、アイデア取得部２４０は、処理をステップＳ４０５に移行して、以下同様の処理を行う。
【０１００】
図１２は、アイデア一覧画面１００Ｃを用いてアイデアを閲覧する場合の処理手順を説明するためのフローチャートである。
【０１０１】
図１２に示すように、この処理では、まず、ステップＳ５０１において、アイデア閲覧部２５０は、アイデア登録画面１００Ｂの閲覧ボタン１０５が押下された場合、即ち、アイデア受付部２２０からアイデア一覧画面１００Ｃの表示指示を入力すると（ステップＳ５０１）、続いて、ステップＳ５０２において、専用フォルダＦに閲覧用のアイデアデータが有るか否かを判定する。
【０１０２】
この判定の結果、閲覧用のアイデアデータが有ると判定されると（ステップＳ５０２：Ｙｅｓ）、続いて、ステップＳ５０３において、アイデア閲覧部２５０は、件名表示欄１０７および登録状態表示欄１０８の一覧表示の無い（即ち、空の）アイデア一覧画面１００Ｃを表示部２７に表示し、ユーザによる操作を待ち受ける。ここで、ユーザにより閉じるボタン１０９の選択操作が行われると、アイデア閲覧部２５０は、ここでの処理を終了する。
【０１０３】
一方、判定の結果、閲覧用のアイデアデータが無いと判定されると（ステップＳ５０２：Ｎｏ）、続いて、ステップＳ５０４において、アイデア閲覧部２５０は、アイデアデータの一覧表示の有るアイデア一覧画面１００Ｃ（例えば、図５（ａ）参照）を表示部２７に表示し、ユーザによる操作を待ち受ける。
【０１０４】
ここで、ユーザにより、一覧表示された件名のいずれか（例えば、図５（ａ）の「ＰＯＳについて」など）が選択されると、ステップＳ５０５において、アイデア閲覧部２５０は、その選択件名に対応する本文（例えば、「キーボードの配置を・・・」など）を表示するアイデア内容画面１００Ｄ（例えば、図５（ｂ）参照）を表示部２７に表示し、ユーザによる操作を待ち受ける。ここで、ユーザにより戻るボタン１１２の選択操作が行われると、アイデア閲覧部２５０は、ステップＳ５０４に戻って同様の処理を行う。
【０１０５】
一方、ステップＳ５０４において、ユーザにより、閉じるボタン１０９が選択操作されると、続いて、ステップＳ５０６において、アイデア閲覧部２５０は、アイデア一覧画面１００Ｃの表示を終了し、ここでの処理を終了する。
【０１０６】
次に、サーバ装置３のアイデア登録／配信処理部３００が実行する処理手順について説明する。
【０１０７】
図１３は、サーバ装置３の処理手順を説明するためのフローチャートである。
【０１０８】
図１３に示すように、この処理では、まず、ステップＳ６０１およびステップＳ６０２において、アイデア登録部３１０が、クライアント端末２からのアップロード要求およびダウンロード要求の有無を監視している。
【０１０９】
この監視の結果、アップロード要求を受信すると（ステップＳ６０１：Ｙｅｓ）、続いて、ステップＳ６０３において、アイデア登録部３１０が、アップロード可能を通知して、クライアント端末２から登録対象のアイデアデータを受信する。
【０１１０】
続いて、ステップＳ６０４において、アイデア登録部３１０は、受信したアイデアデータをアイデア登録管理テーブルＴに登録し、登録終了後に、ここでの処理を終了する。
【０１１１】
一方、前記監視の結果、ダウンロード要求を受信すると（ステップＳ６０２：Ｙｅｓ）、続いて、ステップＳ６０５において、アイデア登録部３１０は、アイデアデータ登録テーブルＴに登録しているアイデアデータのコピーデータを該当するクライアント端末２に送信し、送信終了後、ここでの処理を終了する。
【０１１２】
以上説明した実施形態によれば、ユーザにとって使い勝手の良いデータ登録／閲覧システムを提供することができる。
【０１１３】
即ち、前記した実施形態によれば、アイデアデータを登録するに際して、ユーザは、オンライン／オフラインを意識すること無く、「ひらめき」や「意見」などのアイデアを思い付いた場合に、常駐プログラムによる専用アイコン１０１をワンクリックするなどの簡単操作により、アイデア登録画面１００Ｂを素早くディスプレイに表示させて、アイデアデータを作成し、作成したアイデアデータの登録指示を行うだけ済むので、ユーザにとっては使い勝手の良いデータ登録システムを提供することができる。
【０１１４】
また、前記した実施形態によれば、アイデアデータを閲覧するに際して、ユーザは、オンライン／オフラインを意識すること無く、アイデア一覧画面１００Ｃを用いて登録済みのアイデアデータの閲覧、即ち、類似するアイデアデータが既に登録済みであるか否かの確認を行うことができるので、ユーザにとっては使い勝手の良いデータ閲覧システムを提供することができる。
【０１１５】
また、前記した実施形態によれば、アイデア登録画面１００Ｂで作成したアイデアデータが専用フォルダＦで収納管理されるため、ユーザは、オフライン時にアイデア登録画面１００Ｂを覚書やメモ書きの入力ツールとして利用することが可能である。
【０１１６】
また、以下において、従来技術と比較した場合の本実施形態の作用効果について説明する。
【０１１７】
従来、「ひらめき」や「意見」などの文章情報を含むアイデアデータを登録したり、既に登録済みのアイデアデータを閲覧したりすることのできるアイデア登録／閲覧システム（以下、「従来技術１」という。）が知られている。
【０１１８】
より具体的には、従来技術１では、ユーザがクライアント端末を使用して、インターネットを介して接続される特定のウェブサーバの提供する特定ウェブサイトにアクセスし、ディスプレイに特定ウェブページを表示させ、キーボードやマウスなどを使用して特定ウェブページの所定の入力欄にアイデアデータを入力し、特定ウェブページの登録ボタンを選択して入力したアイデアデータの登録を行ったり、特定ウェブページの閲覧ボタンを選択して登録済みのアイデアデータを表示させて閲覧したりすることが可能である。
【０１１９】
しかしながら、従来技術１にあっては、クライアント端末がウェブサーバに通信接続できない環境では、特定のウェブページを表示させることができないので、アイデアデータの作成および登録指示が行えず、且つ、登録済みのアイデアデータを閲覧することもできないなどの課題がある。
【０１２０】
ただ、従来技術１においては、ユーザが特定のウェブページをＨＴＭＬドキュメントとして保存する作業を行っておくことにより、登録済みのアイデアデータを閲覧することは可能であるかもしれないが、ＨＴＭＬドキュメントを保存する際には、保存先を指定するなどの作業が必要であるため、ユーザにとっては煩わしいものである。また、保存したＨＴＭＬドキュメントを開く場合には、ウェブブラウザを起動しなければならず、開くまでに時間が掛かるなどの課題もある。
【０１２１】
また、従来技術１にあっては、アイデアデータを入力または閲覧する際、ウェブブラウザの起動作業、特定ウェブページへの遷移作業、パスワードなどの会員情報の入力作業などの多数の作業工程を行う必要があるため、気軽にアイデアデータを入力して登録したり、気軽に登録済みのアイデアデータを閲覧したりすることができないなどの課題がある。特に、アイデアデータを入力するまでの作業工程が多いと、アイデアデータを入力する前に、ユーザが思い付いたアイデアデータを忘れてしまうなどの虞がある。
【０１２２】
これに対して、本実施形態の構成によれば、前記した従来技術１の種々の課題を解決することが可能である。
【０１２３】
即ち、本実施形態によれば、クライアント端末２がサーバ装置３に通信接続できない環境においても、アイデアデータの入力および登録指示が行え、且つ、登録済みのアイデアデータを容易に閲覧することができる。また、本実施形態によれば、アイデアデータを入力または閲覧するまでのユーザの作業工程が少ないため、気軽にアイデアデータを入力して登録指示したり、登録済みのアイデアデータを容易に閲覧することができる。特に、アイデアデータを入力するまでの作業工程が少ないことにより、アイデアデータを入力する前に、ユーザが思い付いたアイデアデータを忘れてしまうなどの不都合も解消できる。
【０１２４】
また、従来、前記した従来技術１のクライアント端末としては、文字データを作成して保存することのできるパーソナルコンピュータが一般的に利用されている。
【０１２５】
このようなクライアント端末によれば、ワープロソフトなどを使用して、アイデアデータを作成してファイルとして保存しておき、クライアント端末がウェブサーバに通信接続できる場合（即ち、オンラインである場合）に、特定のウェブサイトにアクセスして、特定のウェブページを開くとともに、前記ワープロソフトを起動してファイルを開き、画面上に表示されたアイデアデータをコピーして、特定のウェブページの所定の入力欄にペーストしてアイデアデータを登録させることも可能である。
【０１２６】
しかしながら、前記した方法にあっても、アイデアデータを入力および登録するまでのユーザの操作数が多いため、気軽にアイデアデータを登録することができないなどの課題があるとともに、ユーザにとっては、アイデアデータの保存後に当該保存したアイデアデータの登録を意識する必要があり、最悪の事態では、アイデアデータを保存していることを忘れたり、保存しているアイデアデータの登録をし忘れるなどの課題がある。
【０１２７】
これに対して、本実施形態の構成によれば、前記した課題を解決することが可能である。
【０１２８】
即ち、本実施形態によれば、アイデアデータを入力および登録するまでのユーザの操作数が少ないため、気軽にアイデアデータを入力して登録指示することができる。また、本実施形態によれば、クライアント端末２が保持しているアイデアデータを自動的にサーバ装置３にアップロードするため、ユーザはアイデアデータの保存後に当該保存したアイデアデータの登録を意識する必要がなく、保存しているアイデアデータの登録し忘れなどの不都合も解消できる。
【０１２９】
以上、例示的な実施形態に基づいて説明したが、本実施形態は、前記した実施形態により限定されるものではない。
【０１３０】
例えば、前記した実施形態では、アイデア登録画面１００Ｂに閲覧ボタン１０５を設け、その閲覧ボタン１０５が選択された場合に、アイデア一覧画面１００Ｃを表示するような形態について説明したが、これ以外にも、アイデア登録画面１００Ｂには、閲覧ボタン１０５を設けずに、一覧表示タイマが経過した場合に、自動的にデスクトップ画面１００Ａ上にアイデア一覧画面１００Ｃを表示させたり、一覧表示タイマが経過した場合に、デスクトップ画面１００Ａの専用アイコン１０１を一定時間点滅させ、その時間内にワンクリックされた場合にデスクトップ画面１００Ａ上にアイデア一覧画面１００Ｃを表示させたりするような形態とすることも可能である。
【０１３１】
また、前記した実施形態では、図１０の未登録のアイデアデータの登録処理、および、図１１の登録済みのアイデアデータの取得処理においては、それぞれステップＳ３０１およびステップＳ４０１において、タイマーにより所定時間が経過する毎に、それぞれの処理を開始する形態について説明したが、これ以外にも、例えば、クライアント端末２が、ランダムなタイミングで信号を出力する信号発生手段を有し、その信号発生手段からの信号を入力した場合に、図１０の登録処理および図１１の取得処理を開始するような形態とすることも可能である。
【０１３２】
また、その他の形態としては、クライアント端末２の外部の情報処理装置（例えば、サーバ装置３など）からの送信要求信号を入力した場合に、図１０の登録処理および図１１の取得処理を開始するような形態とすることも可能である。
【０１３３】
また、前記した実施形態では、アイデアデータの登録をサーバ装置３に依頼していない（即ち、アイデアデータをサーバ装置３に未だアップロードしていない）アイデアデータに未登録フラグを設定する形態について説明したが、これ以外にも、例えば、前記したようなアイデアデータにはフラグを設定しないような形態とすることも可能である。
【０１３４】
なお、この場合には、アイデア登録依頼部２３０は、図１０のステップＳ３０４の処理において、フラグが設定されていないアイデアデータと、失敗フラグが設定されているアイデアデータを、登録対象のアイデアデータと認識し、更に、ステップＳ３０７の処理において、ステップＳ３０４で認識したアイデアデータをアップロード対象のアイデアデータとして処理する。
【０１３５】
また、前記した実施形態では、サーバ装置３は、グループ単位別に、未登録のアイデアデータの登録および登録済みのアイデアデータの送信を行う形態について説明したが、これ以外にも、グループ単位別を区別することなく、一つのアイデアデータ登録テーブルを用いて、一緒くたに、未登録のアイデアデータの登録および登録済みのアイデアデータの送信を行うような形態とすることも可能である。
【０１３６】
また、前記した実施形態では、１台のサーバ装置３を備え、そのサーバ装置３で複数のグループにおけるアイデアデータの登録／配信を行う形態について説明したが、これ以外にも、複数台のサーバ装置を備え、サーバ装置毎に異なるグループにおけるアイデアデータの登録／配信を行うような形態とすることも可能である。具体的には、例えば、商品開発部で使用するクライアント端末２で利用するアイデアデータの登録／配信を行うサーバ装置や、営業部で使用するクライアント端末２で利用するアイデアデータの登録／配信を行うサーバ装置などと設定することもできる。
【０１３７】
また、前記した実施形態では、クライアント端末２は、未登録のアイデアデータをグループ別に関係なく、ファイル単位でアップロードする形態について説明したが、これ以外にも、例えば、クライアント端末が、未登録のアイデアデータをグループ単位でアップロードするような形態とすることも可能である。
【０１３８】
また、前記した実施形態では、処理を共通化させる目的で、専用フォルダＦで管理されるサーバ装置３にアップロードされる登録対象のアイデアデータと、サーバ装置３からダウンロードした登録済みのアイデアデータのファイル形式を合わせた場合について説明したが、これに限定されず、処理の共通化を考慮せずに、両者でファイル形式を異ならせるような形態とすることも可能である。
【０１３９】
また、前記した実施形態では、専用フォルダ作成部２１０が、登録対象のアイデアデータおよびその通信ログと、登録済みのアイデアデータおよびその通信ログを管理する専用フォルダＦを作成する形態について説明したが、これ以外にも、例えば、登録対象のアイデアデータと登録済みのアイデアデータとでそれぞれ別々に管理する専用フォルダを作成するような形態とすることも可能である。
【０１４０】
また、前記した実施形態では、クライアント端末２が、会社や企業などに勤務する会社員が使用する携帯型のコンピュータであり、サーバ装置３が、会社や企業などに設置されるコンピュータである場合について説明したが、これ以外にも、例えば、クライアント端末としては、商品を販売または提供する店舗に設置されるＰＯＳ（Ｐｏｉｎｔ  Ｏｆ  Ｓａｌｅｓ  Ｓｙｓｔｅｍ）端末や、各種情報サービスを提供する情報発信端末などの情報処理装置とすることも可能であるし、前記店舗や商品配送センタなどで使用される携帯型のハンディーターミナルなどの情報処理装置とすることも可能であり、他方、サーバ装置としては、前記店舗に設置されるストアサーバや、本部に設置される本部サーバなどとすることも可能である。
【０１４１】
なお、前記店舗に設置される情報処理装置（ＰＯＳ端末や情報発信端末など）としては、有線ＬＡＮなどのネットワークを介してストアサーバや本部サーバと接続されるものと、無線ＬＡＮなどのネットワークを介して通信エリア内にある場合にのみストアサーバや本部サーバと接続されるものが含まれる。
【０１４２】
そして、クライアント端末２として、有線ＬＡＮなどのネットワークを介してストアサーバや本部サーバと接続される情報処理装置（ＰＯＳ端末や情報発信端末など）を利用する形態においては、図１０のステップＳ３０６の判定処理、および、図１１のステップＳ４０４の判定処理は省略することも可能である。
【０１４３】
即ち、前記店舗や商品配送センタなどで使用される情報処理装置を利用する形態によれば、ＰＯＳ端末やハンディーターミナルなどで、客からの意見（苦情など）や、店員や配送担当者が業務上気付いたことなどを入力し、そのような意見をストアサーバや本部サーバにアップロードして複数のユーザで共有して閲覧できるように登録することが可能である。
【０１４４】
また、前記した実施形態では、複数のユーザで共有するデータとして、「ひらめき」や「意見」などのアイデアを含むアイデアデータの場合について説明したが、これ以外にも、共有するデータとしては、前記したアイデア以外の内容を含むデータとすることも可能である。
【０１４５】
また、前記した実施形態のクライアント端末２、サーバ装置３で実行される各種プログラムは、ＲＯＭなどの記憶手段に予め組み込むように提供しても良いし、インストール可能な形式または実行可能な形式のファイルでコンピュータで読み取り可能な記録媒体に記録して提供するように構成しても良いし、インターネットなどのネットワーク経由で提供または配布するように構成しても良い。
【０１４６】
その他、前記した実施形態におけるクライアント端末２、サーバ装置３のハードウェア構成およびソフトウェア構成や、各種画面の構成や、各種処理手順などは、単なる例として記載したものであり、本実施形態は、これらにより限定されない。
【符号の説明】
【０１４７】
１  アイデア登録／閲覧システム（情報処理システム）
２  クライアント端末（情報処理装置）
３  サーバ装置
４  ネットワーク
２００  アイデア登録／閲覧処理部
２１０  専用フォルダ作成部（保持手段）
２２０  アイデア受付部（受付手段、保持手段）
２３０  アイデア登録依頼部（送信手段）
２４０  アイデア取得部（受信手段）
２５０  アイデア閲覧部（表示手段）
３００  アイデア登録／配信処理部
３１０  アイデア登録部（サーバ受信手段、登録手段）
３２０  アイデア配信部（サーバ送信手段）
１００Ａ  デスクトップ画面
１００Ｂ  アイデア登録画面
１００Ｃ  アイデア一覧画面
１００Ｄ  アイデア内容画面
Ｆ  専用フォルダ（専用の収納管理部）
【先行技術文献】
【特許文献】
【０１４８】
【特許文献１】特開２００２−２５９２８９号公報
【図１】
2012048299.tif 000003
【図２】
2012048299.tif 000004
【図３】
2012048299.tif 000005
【図４】
2012048299.tif 000006
【図５】
2012048299.tif 000007
【図６】
2012048299.tif 000008
【図７】
2012048299.tif 000009
【図８】
2012048299.tif 000010
【図９】
2012048299.tif 000011
【図１０】
2012048299.tif 000012
【図１１】
2012048299.tif 000013
【図１２】
2012048299.tif 000014
【図１３】
2012048299.tif 000015